(57)【要約】【課題】多数本のゴルフクラブを運搬中においても相互に当接しないように該ケース内に各別に固定し、かつ、所定本数のゴルフクラブが該ケース内に収納されているか否かを目視により瞬時に確認することができるようにすると共に、ゴルフクラブを容易に出し入れすることができるようにしたゴルフクラブ収納ケースを提供する。【解決手段】ケース本体１内には多数本のゴルフクラブ３を支持するゴルフクラブ支持体５を水平方向に回動自在に立設し、該ゴルフクラブ支持体には、それぞれ単一のゴルフクラブにおけるグリップ３ａを取り外し自在に保持する多数のグリップ保持部１５と、それぞれ単一のゴルフクラブにおけるシャフト３ｂを取り外し自在に挟持する多数のシャフト挟持部１７とを備えさせ、該グリップ保持部とシャフト挟持部とは、ゴルフクラブが相互に当接しないようにゴルフクラブを各別に固定する。【選択図】図１
2012040298.tif 000002
【特許請求の範囲】
【請求項１】
ケース本体内には多数本のゴルフクラブを支持するゴルフクラブ支持体を水平方向に回動自在に立設し、
該ゴルフクラブ支持体には、それぞれ単一のゴルフクラブにおけるグリップを取り外し自在に保持する多数のグリップ保持部と、それぞれ単一のゴルフクラブにおけるシャフトを取り外し自在に挟持する多数のシャフト挟持部とを備えさせ、
該グリップ保持部と該シャフト挟持部とは、それぞれ該ゴルフクラブ支持体の回動中心を中心とする円上に配設し、
該グリップ保持部と該シャフト挟持部とは、ゴルフクラブのグリップを該グリップ保持部に保持させると共にゴルフクラブのシャフトを該シャフト挟持部に挟持させたときに、ゴルフクラブが相互に当接しないようにゴルフクラブを各別に固定し、
各シャフト挟持部は、ゴルフクラブのシャフトを該シャフト挟持部に対し前記回動中心に接近する方向に押圧したときに該シャフトを挟持し、該シャフトを該回動中心から離れる方向に引いたときに該シャフトに対する挟持を解除するようにしたことを特徴とするゴルフクラブ収納ケース。
【請求項２】
前記シャフト挟持部は、前記ゴルフクラブ支持体の上部に備えさせた略円板状体の外周縁に配設したことを特徴とする請求項１に記載のゴルフクラブ収納ケース。
【請求項３】
前記グリップ保持部は、前記ゴルフクラブ支持体の下部に備えさせた略円板状体に保持孔を形成してなることを特徴とする請求項１又は２に記載のゴルフクラブ収納ケース。
【請求項４】
前記ケース本体は、ゴルフクラブの出し入れを行うと共に前記ゴルフクラブ支持体に支持されているゴルフクラブを該ケース本体の外方から視認するための開閉自在の開口部を備えていることを特徴とする請求項１〜３のいずれかに記載のゴルフクラブ収納ケース。
【発明の詳細な説明】
【技術分野】
【０００１】
本発明は、ゴルフクラブ収納ケースに関するものであり、特に多数本のゴルフクラブを運搬中においても相互に当接しないように該ケース内に各別に固定し、かつ、所定本数のゴルフクラブが該ケース内に収納されているか否かを目視により瞬時に確認することができるようにすると共に、ゴルフクラブを容易に出し入れすることができるようにしたゴルフクラブ収納ケースに係るものである。
【背景技術】
【０００２】
実開平７−１８７５４号公報は、ゴルフクラブ収納ケースの開口部を仕切部材により複数個に区画し、各区画内にそれぞれ複数本のゴルフクラブを出し入れ自在に収納するようにしたゴルフクラブ収納ケース（以下「従来のゴルフクラブ収納ケースＡという。」を開示している。
【０００３】
実用新案登録第３０３６０２４号公報は、ゴルフクラブ収納ケース内を上下方向の壁体により多数個に区画し、各区画内にゴルフクラブを１本ずつ出し入れ自在に収納するようにしたゴルフクラブ収納ケース（以下「従来のゴルフクラブ収納ケースＢという。」を開示している。
【先行技術文献】
【特許文献】
【０００４】
【特許文献１】実開平７−１８７５４号公報
【特許文献２】実用新案登録第３０３６０２４号公報
【発明の概要】
【発明が解決しようとする課題】
【０００５】
しかるに、上記従来のゴルフクラブ収納ケースＡにおいては、各区画内にそれぞれ複数本のゴルフクラブが出し入れ自在に収納されるのであるが、各ゴルフクラブは該区画内において固定されていないため、該ゴルフクラブ収納ケースＡの運搬中にゴルフクラブ同士が相互に衝突し、ゴルフクラブが損傷するおそれがある。更に、ゴルフクラブ収納ケースＡ内に所定本数のゴルフクラブが収納されているか否かを目視により瞬時に確認することは困難である。
【０００６】
また、上記ゴルフクラブ収納ケースＢにおいては、各区画内にゴルフクラブが１本ずつ出し入れ自在に収納されるのであるが、各ゴルフクラブは該区画内において固定されていないため、該ゴルフクラブ収納ケースＢの運搬中にゴルフクラブ同士が相互に衝突し、ゴルフクラブが損傷するおそれがある。
【０００７】
本発明は、従来のゴルフクラブ収納ケースＡ、Ｂにおける上述の如き問題を解決し、多数本のゴルフクラブを運搬中においても相互に当接しないように該ケース内に各別に固定し、かつ、所定本数のゴルフクラブが該ケース内に収納されているか否かを目視により瞬時に確認することができるようにすると共に、ゴルフクラブを容易に出し入れすることができるようにしたゴルフクラブ収納ケースを提供しようとしてなされたものである。
【課題を解決するための手段】
【０００８】
上記課題を解決するために、本発明は、下記のゴルフクラブ収納ケースを提供する。
【０００９】
（１）ケース本体内には多数本のゴルフクラブを支持するゴルフクラブ支持体を水平方向に回動自在に立設し、
該ゴルフクラブ支持体には、それぞれ単一のゴルフクラブにおけるグリップを取り外し自在に保持する多数のグリップ保持部と、それぞれ単一のゴルフクラブにおけるシャフトを取り外し自在に挟持する多数のシャフト挟持部とを備えさせ、
該グリップ保持部と該シャフト挟持部とは、それぞれ該ゴルフクラブ支持体の回動中心を中心とする円上に配設し、
該グリップ保持部と該シャフト挟持部とは、ゴルフクラブのグリップを該グリップ保持部に保持させると共にゴルフクラブのシャフトを該シャフト挟持部に挟持させたときに、ゴルフクラブが相互に当接しないようにゴルフクラブを各別に固定し、
各シャフト挟持部は、ゴルフクラブのシャフトを該シャフト挟持部に対し前記回動中心に接近する方向に押圧したときに該シャフトを挟持し、該シャフトを該回動中心から離れる方向に引いたときに該シャフトに対する挟持を解除するようにしたことを特徴とするゴルフクラブ収納ケース（請求項１）。
【００１０】
（２）前記シャフト挟持部は、前記ゴルフクラブ支持体の上部に備えさせた略円板状体の外周縁に配設する（請求項２）。
【００１１】
（３）前記グリップ保持部は、前記ゴルフクラブ支持体の下部に備えさせた略円板状体に保持孔を形成してなる（請求項３）。
【００１２】
（４）前記ケース本体は、ゴルフクラブの出し入れを行うと共に前記ゴルフクラブ支持体に支持されているゴルフクラブを該ケース本体の外方から視認するための開閉自在の開口部を備えている（請求項４）。
【発明の効果】
【００１３】
［請求項１の発明］
ゴルフクラブ支持体をケース本体内に水平方向に回動自在に立設しているため、ゴルフクラブ収納ケースに対するゴルフクラブの出し入れは極めて容易である。
【００１４】
すなわち、ゴルフクラブをゴルフクラブ収納ケース内に収納する際には、ゴルフクラブ支持体を適宜の位置まで回動させた状態で、ゴルフクラブのグリップを該ゴルフクラブ支持体下部のグリップ保持部に保持させると共に、ゴルフクラブのシャフトを該ゴルフクラブ支持体上部のシャフト挟持部に対し前記回動中心に接近する方向に押圧することにより該シャフト挟持部に該シャフトを挟持させればよい。
【００１５】
ゴルフクラブをゴルフクラブ収納ケースから取り出す際には、ゴルフクラブ支持体を適宜の位置まで回動させた状態で、ゴルフクラブのシャフトを前記回動中心から離れる方向に引くことにより該ゴルフクラブ支持体上部のシャフト挟持部から離すと共に、ゴルフクラブのグリップを該ゴルフクラブ支持体下部のグリップ保持部から取り外した後、ゴルフクラブを該ゴルフクラブ収納ケースから取り出すのである。
【００１６】
ゴルフクラブのグリップを該グリップ保持部に保持させると共にゴルフクラブのシャフトを該シャフト挟持部に挟持させたときには、ゴルフクラブは相互に当接しないようにゴルフクラブ収納ケース内に各別に固定される。したがって、多数本のゴルフクラブを収納したゴルフクラブ収納ケースを運搬する際にも、ゴルフクラブが該ゴルフクラブ収納ケース内で相互に衝突して損傷するおそれはない。
【００１７】
ゴルフクラブはグリップ保持部とシャフト挟持部とにより各別に固定されるため、所定本数のゴルフクラブがゴルフクラブ収納ケース内に収納されているか否かを目視により瞬時に確認することができる。
【００１８】
すなわち、ゴルフクラブはグリップ保持部とシャフト挟持部とにより各別に固定されるため、ゴルフクラブ収納ケース内に収納されているゴルフクラブが所定の本数に満たないときには、グリップ保持部とシャフト挟持部とに空きがあることにより、この事実が瞬時に判明する。したがって、プレーヤーが使用したゴルフクラブをゴルフクラブ収納ケースに収納することなく、置き忘れてしまうという可能性が排除される。因みに、ゴルフクラブ支持体に備えさせたグリップ保持部の数とシャフト挟持部の数とは等しい。
【００１９】
一方、ゴルフクラブはグリップ保持部とシャフト挟持部とにより各別に固定されるため、ゴルフクラブ収納ケース内に所定本数を越すゴルフクラブを収納するおそれがない。したがって、ゴルフクラブの使用可能本数の上限を定めたルールがある場合に、プレーヤーが過失によりこのルールに違反するおそれが排除される。
【００２０】
［請求項２の発明］
シャフト挟持部はゴルフクラブ支持体の上部に備えさせた略円板状体の外周縁に配設したため、該シャフト挟持部に対するゴルフクラブのシャフトの着脱は容易に行うことができる。
【００２１】
［請求項３の発明］
グリップ保持部はゴルフクラブ支持体の下部に備えさせた略円板状体に保持孔を形成してなるものであるため、ゴルフクラブのグリップを該グリップ保持部に容易に挿脱することができる。
【００２２】
［請求項４の発明］
ゴルフクラブ収納ケースの使用者は、ケース本体に備えさせた開口部を介して、ゴルフクラブの出し入れを容易に行うと共に、ゴルフクラブ支持体に支持されているゴルフクラブを該ケース本体の外方から容易に視認することができる。
【図面の簡単な説明】
【００２３】
【図１】図１は、本発明によるゴルフクラブ収納ケースの一例を示す断面図である。
【図２】図２は、シャフト挟持部の一例を示す平面図である。
【図３】図３は、グリップ保持部の一例を示す平面図である。
【図４】図４は、前記シャフト挟持部を示す別の平面図である。
【図５】図５は、ゴルフクラブ収納ケースの一例を示す正面図である。
【図６】図６は、ゴルフクラブ収納ケースの別の一例を示す正面図である。
【図７】図７は、ゴルフクラブ収納ケースの更に別の一例を示す正面図である。
【発明を実施するための形態】
【００２４】
符号１に示すものはケース本体である。ケース本体１は、ハードケースであっても、ソフトケースであってもよい。
【００２５】
ケース本体１内には多数本のゴルフクラブ３、３・・・を支持するゴルフクラブ支持体５を立設する。該ゴルフクラブ支持体５は、水平方向に回動自在である。ゴルフクラブ支持体５は、一例として、１４本のゴルフクラブ３、３・・・を、ヘッド３ｃが上になり、グリップ３ａが下になるように立てた状態で、支持する。
【００２６】
すなわち、一例として図１に示すように、ケース本体１の基部７上に軸向き軸受としてのころがり軸受等の軸受９を介してゴルフクラブ支持体５を水平方向に回動自在に立設する。符号１１に示すものは、ゴルフクラブ支持体５の支軸である。支軸１１は軸受９上に立設されている。ゴルフクラブ支持体５は支軸１１の中心を回動中心として水平方向に回動自在である。なお、ケース本体１にはキャスター１３を備えさせても差し支えない。
【００２７】
ゴルフクラブ支持体５には、それぞれ単一のゴルフクラブ３におけるグリップ３ａを取り外し自在に保持する多数のグリップ保持部１５、１５・・・と、それぞれ単一のゴルフクラブ３におけるシャフト３ｂを取り外し自在に挟持する多数のシャフト挟持部１７、１７・・・とを備えさせる。グリップ保持部１５、１５・・・の数と、シャフト挟持部１７、１７・・・の数は、それぞれ一例として１４個とする。
【００２８】
グリップ保持部１５は、好ましくはゴルフクラブ支持体５の下部に、該ゴルフクラブ支持体５の回動中心（支軸１１の中心）を中心とする円上に配設する。図３参照。
【００２９】
グリップ保持部１５は、一例として、ゴルフクラブ支持体５の下部に備えさせた略円板状体１９に保持孔１５ａを形成してなるものである。略円板状体１９は、ゴルフクラブ支持体５の回動中心（支軸１１の中心）を中心とする。
【００３０】
シャフト挟持部１７は、好ましくはゴルフクラブ支持体５の上部に、該ゴルフクラブ支持体５の回動中心（支軸１１の中心）を中心とする円上に配設する。  図２参照。
【００３１】
シャフト挟持部１７は、一例として、ゴルフクラブ支持体５の上部に備えさせた略円板状体２１の外周縁に配設する。略円板状体２１は、ゴルフクラブ支持体５の回動中心（支軸１１の中心）を中心とする。
【００３２】
図１、図２、図４に示す事例においては、略円板状体２１の外周縁に１４個の切欠部２３を形成し、各切欠部２３上にゴルフクラブ３のシャフト３ｂを取り外し自在に挟持する挟持具２５を配設している。この事例における該挟持具２５は、一対の挟持片２５ａ、２５ａを軸２５ｂを介して相互に開閉自在に連結し、当該一対の挟持片２５ａ、２５ａをばね２５ｃにより閉じる方向に付勢してなるピンチ状のものである。
【００３３】
グリップ保持部１５とシャフト挟持部１７とは、ゴルフクラブ３のグリップ３ａを該グリップ保持部１５に保持させると共にゴルフクラブ３のシャフト３ｂをシャフト挟持部１７に挟持させたときに、ゴルフクラブ収納ケースの運搬中においても、該ゴルフクラブ３、３・・・が相互に当接しないようにゴルフクラブ３を各別に固定するようになす。すなわち、一例として、ゴルフクラブ３、３・・・が相互に当接することを防止するための仕切り板（図示せず。）を適宜設ける。
【００３４】
各シャフト挟持部１７は、ゴルフクラブ３のシャフト３ｂを該シャフト挟持部１７に対し前記回動中心に接近する方向に押圧したときに該シャフト３ｂを挟持し、該シャフト３ｂを該回動中心から離れる方向に引いたときに該シャフト３ｂに対する挟持を解除する。
【００３５】
前記ケース本体１は、ゴルフクラブ３、３・・・の出し入れを行うと共に前記ゴルフクラブ支持体５に支持されているゴルフクラブ３、３・・・を該ケース本体１の外方から視認するための開口部３１を備えている。
【００３６】
図５に示すケース本体１は、ハードケースであり、該ケース本体１における本体部１ａの上部に開閉自在の蓋部１ｂを備えており、該蓋部１ｂを開くことにより、開口部３１があらわれる。
【００３７】
図６に示すケース本体１は、ハードケースであり、側面に開閉自在の蓋部１ｃをそなえており、該蓋部１ｃを開いたときに、開口部３１があらわれる。
【００３８】
図７に示すケース本体１は、ソフトケースであり、側面にスライドファスナー３３を備えており、該スライドファスナー３３を開けたときに、開口部３１があらわれる。
【００３９】
なお、開口部３１には該開口部３１を閉じた状態にロックするためのロック手段（図示せず。）を備えさせてもよい。また、ゴルフクラブ収納ケース内に収納されているゴルフクラブ３、３・・・が所定の本数に満たないときに該ロック手段により開口部３１が閉じた状態にロックされた場合に、ブザー、音声、光等の警報を発するようにした警報手段（図示せず。）をゴルフクラブ収納ケースに備えさせてもよい。
【符号の説明】
【００４０】
１  ケース本体
１ａ  本体部
１ｂ  蓋部
１ｃ  蓋部
３  ゴルフクラブ
３ａ  グリップ
３ｂ  シャフト
３ｃ  ヘッド
５  ゴルフクラブ支持体
７  基部
９  軸受
１１  支軸
１３  キャスター
１５  グリップ保持部
１７  シャフト挟持部
１９  略円板状体
２１  略円板状体
２３  切欠部
２５  挟持具
２５ａ  挟持片
２５ｂ  軸
２５ｃ  ばね
３１  開口部
３３  スライドファスナー
【図１】
2012040298.tif 000003
【図２】
2012040298.tif 000004
【図３】
2012040298.tif 000005
【図４】
2012040298.tif 000006
【図５】
2012040298.tif 000007
【図６】
2012040298.tif 000008
【図７】
2012040298.tif 000009